(57)【要約】      （修正有）【課題】パネル間に挟んだ掲示用印刷物の位置を店内側から目視で確認することができ、加えて、パネル間の隙間に入り込んだゴミや虫などをパネルの下辺側の隙間から払い落とすことができるようになした印刷物掲示用パネルを提供する。【解決手段】透明な樹脂をもって製作した、方形をなし、前面における上辺に磁性体３を取着すると共に、背面における上辺を透明材からなる窓部の内側面への貼着部４を有する支持パネル２と、柔軟性を有する透明な樹脂をもって製作した、支持パネル２と略同大の方形をなし、背面における上辺に支持パネル２の磁性体３に吸着する磁石７を取着したカバーパネル６とからなる。支持パネル２とカバーパネル６とを、支持パネル２の下辺部に設けた横長のフック片係止孔５に、カバーパネル６の下辺部に形成したフック片８を挿入係止することにより、その下辺部において接合する。【選択図】図１
0003228040.tif 000002
【実用新案登録請求の範囲】
【請求項１】
透明な樹脂をもって製作した、方形をなし、前面における上辺に磁石又は磁性体を取着すると共に、背面における上辺を透明材からなる窓部の内側面への貼着部とする支持パネルと、柔軟性を有する透明な樹脂をもって製作した、前記支持パネルと略同大の方形をなし、背面における上辺に前記支持パネルの磁石又は磁性体に吸着する磁性体又は磁石を取着したカバーパネルとからなり、前記支持パネルとカバーパネルとを、支持パネルの下辺部に設けた横長のフック片係止孔に、カバーパネルの下辺部に形成したフック片を挿入係止することにより、その下辺部において接合せしめてなる印刷物掲示用パネル。
【請求項２】
支持パネルの上下辺部とカバーパネルの上辺部に内部不透視用の着色を施してなる請求項１記載の印刷物掲示用パネル。
【請求項３】
カバーパネルが、その高さ方向の中央部に横方向の中央目印線を表示すると共に、上下の辺部及び前記中央目印線の横方向の中央部に夫々中央目印線を表示してなるカバーパネルである請求項１又は２記載の印刷物掲示用パネル。
【考案の詳細な説明】
【技術分野】
【０００１】
本考案は印刷物掲示用パネルに関するものである。
【背景技術】
【０００２】
ポスター等の印刷物の掲示用パネルは、従来種々のものが案出されており、そして、特にそれらの中において前面側において簡単に掲示用印刷物の交換ができ、而も廉価にて製作できるものとして、一端部を接合した二枚のパネル間に掲示用印刷物を挟み込むタイプのものがある。
【０００３】
ところで、コンビニエンスストア等の店舗においては、ポスター等の掲示用印刷物を店舗の前面のガラス窓に設置することも多い。そして、その設置位置は、入店する顧客の視界の妨げにならないようにするため等の理由で、ガラス窓の高さ方向の中段よりも低い位置とすることも多い。そしてまた、そのような印刷物は、汚れ等を考慮して印刷面が外面となるようにして、即ち、表示面が店外から見えるようにしてガラス窓の内側面に設置されることが多い。また、時には二枚の印刷物を背中合わせにして設置することもある。
【０００４】
このような場合において、従来の印刷物掲示用パネルは、その殆どにおいて二枚のパネルが上辺側において接合されており、したがって、掲示用印刷物を交換するときには、前面側のパネルの下辺部を摘んで開閉しなければならなかった。
【０００５】
このため、掲示用印刷物をガラス窓等の低い位置に設置しようとする場合には、担当者は一々身を屈めて作業しなければならず、またパネル間に挟んだ掲示用印刷物の位置ずれ等の修正にも身を屈めて作業しなければならず、きわめて煩わしかった。
【０００６】
また、掲示用印刷物の印刷面が外面になるようにして、即ち、表示面が店外から見えるようにしてガラス窓の内面側に設置しようとする場合、従来の印刷物掲示用パネルは、背面側、即ち、壁面側に位置するパネルが不透明であるから、仮にガラス窓の内面側に設置したとして、パネル間に挟んだ掲示用印刷物の位置を目視で確認することができない。このため位置ずれを修正するために一々店外に出て確認しなければならなかった。
【０００７】
また、店外と店内のいずれの顧客にも見えるように二枚の印刷物を背中合わせにして設置しようとする場合においても、上記の如く従来の印刷物掲示用パネルは背面側に位置するパネルが不透明であることから、これに対応することができなかった。
【考案の概要】
【考案が解決しようとする課題】
【０００８】
本考案は上記の点に鑑みなされたものであって、掲示用印刷物をガラス窓等の低い位置に設置するときにおいて、印刷物の交換の都度担当者が一々身を屈めて作業する必要がないと共に、パネル間に挟んだ印刷物の位置ずれ等の修正も身を屈めて行う必要がなく、また、掲示用印刷物の印刷面が外面になるようにして、即ち、表示面が店外から見えるようにしてガラス窓の内面側に設置する場合において、パネル間に挟んだ掲示用印刷物の位置を店内側から目視で確認することができ、もって位置ずれを修正するために一々店外に出て確認する必要がなく、更に店外と店内のいずれの顧客にも見えるように二枚の印刷物を背中合わせにして設置する場合にも、これに対応することができるようになし、加えて、パネル間の隙間に入り込んだゴミや虫などをパネルの下辺側の隙間から払い落とすことができるようになした印刷物掲示用パネルを提供しようとするものである。
【課題を解決するための手段】
【０００９】
而して、本考案の要旨とするところは、透明な樹脂をもって製作した、方形をなし、前面における上辺に磁石又は磁性体を取着すると共に、背面における上辺を透明材からなる窓部の内側面への貼着部とする支持パネルと、柔軟性を有する透明な樹脂をもって製作した、前記支持パネルと略同大の方形をなし、背面における上辺に前記支持パネルの磁石又は磁性体に吸着する磁性体又は磁石を取着したカバーパネルとからなり、前記支持パネルとカバーパネルとを、支持パネルの下辺部に設けた横長のフック片係止孔に、カバーパネルの下辺部に形成したフック片を挿入係止することにより、その下辺部において接合せしめてなる印刷物掲示用パネルにある。
【００１０】
また、上記構成において、支持パネルの上下の辺部とカバーパネルの上辺部に内部不透視用の着色を施すようになしてもよい。
【００１１】
また、上記構成において、カバーパネルを、その高さ方向の中央部に横方向の中央目印線を表示すると共に、上下の辺部及び前記中央目印線の横方向の中央部に夫々中央目印線を表示してなるカバーパネルとなしてもよい。
【考案の効果】
【００１２】
本考案は上記の如き構成であり、支持パネルとカバーパネルとをその下辺部において接合せしめたものであるから、これら支持パネルとカバーパネルとの間に挟み込んだ掲示用印刷物を交換するときには、前面側のカバーパネルの上辺部を摘んで開閉することができるものである。したがって、掲示用印刷物をガラス窓等の低い位置に設置するときにおいて、印刷物の交換の都度担当者が一々身を屈めて作業する必要がなく、立ったままの姿勢で行うことができると共に、パネル間に挟んだ印刷物の位置ずれ等の修正も身を屈めて行うことなく、立ったまま行うことができるものである。
【００１３】
また、背面側の支持パネルも透明であるから、掲示用印刷物の印刷面が外面になるようにして、即ち、表示面が店外から見えるようにしてガラス窓の内面側に設置する場合において、支持パネルとカバーパネル間に挟んだ掲示用印刷物の位置を店内側から目視で確認することができ、もって位置ずれを修正するために一々店外に出て確認する必要がなく、更に店外と店内のいずれの顧客にも見えるように二枚の印刷物を背中合わせにして設置する場合にも、これに対応することができるものである。
【００１４】
また、支持パネルとカバーパネルの下辺部の接合は、支持パネルの下辺部に設けた横長のフック片係止孔に、カバーパネルの下辺部に形成したフック片を挿入係止することにより行うものであるから、支持パネルとカバーパネルの下辺部は全面的に密着することなく、カバーパネルを手前に開くときにはフック片がフック片係止孔内を少し前後にずれることになり、両者の下辺部の間に僅かな隙間ができることになるものである。そしてこれにより、パネル間の隙間に入り込んだゴミや虫などをパネルの下辺側の隙間から払い落とすことができるようになるものである。
【００１５】
加えて、支持パネルとカバーパネルとは、それらが合わさった状態を上辺部と下辺部においてのみで保持する構造であり、側辺部分はフリーな状態であるから、横方向において大きなサイズの掲示用印刷物の場合には、所要の個数を横に並べて設置することにより、これに対応することができるものである。
【００１６】
そしてまた、カバーパネルが、その高さ方向の中央部に横方向の中央目印線を表示すると共に、上下の辺部及び前記中央目印線の横方向の中央部に中央目印線を表示してなるカバーパネルであるようになした場合には、前記の如く、複数個を横に並べて設置して、一枚の横方向に大きなサイズの掲示用印刷物を掲示する際において、紙片の上下の辺の中央に目印を表示した取扱説明書を併せて利用することにより、ガラス窓における取り付け位置の位置出しを容易にすることができるものである。
【図面の簡単な説明】
【００１７】
【図１】本考案の実施形態に係る印刷物掲示用パネルの使用状態の斜視図である。
【図２】同支持パネルの正面図である。
【図３】同支持パネルの背面図である。
【図４】同カバーパネルの正面図である。
【図５】同カバーパネルの背面図である。
【図６】同使用方法の説明図である。
【図７】同支持パネルとカバーパネルのフック片係止孔とフック片の個数を変えた変形例の説明図である。
【図８】同パネル間の隙間に入り込んだゴミや虫などを払い落とす場合の説明図である。
【図９】同複数個を横に並べて設置する場合の使用方法の説明図である。
【図１０】同複数個を横に並べて設置する場合における取り付け方法を示す取扱説明書である。
【考案を実施するための形態】
【００１８】
以下、本考案を実施するための形態について、図面を参照して説明する。
【００１９】
図中、１は印刷物掲示用パネルである。また、該印刷物掲示用パネル１は、後記支持パネルとカバーパネルとをその下辺部において接合せしめてなるものである。
【００２０】
２は透明な樹脂をもって製作した支持パネルである。また、該支持パネル２は、方形をなし、前面における上辺に磁性体３、３を取着すると共に、背面における上辺を透明材からなる窓部の内側面への貼着部４としている。尚、前記磁性体３、３は、後記磁石に吸着するものであるから、これらを逆に取着するようにしてもよい。また、前記貼着部４には両面粘着テープを貼着している。そしてまた、該支持パネル２の下辺部には横長のフック片係止孔５を設けている。尚、本実施形態においては、該フック片係止孔５を２個間隔をあけて設けているが、図７に示す如く、中央に１個のみを設けるようにしてもよい。
【００２１】
６は柔軟性を有する透明な樹脂によって製作したカバーパネルである。また、該カバーパネル６は、前記支持パネル２と略同大の方形をなし、背面における上辺に前記支持パネル２の磁性体３、３に吸着する磁石７、７を取着している。そしてまた、該カバーパネル６の下辺部には、前記支持パネル２と接合するための前記フック片係止孔５に挿入係止するためのフック片８を形成している。尚、本実施形態においては、該フック片８を、前記フック片係止孔５に対応させて２個形成している。
【００２２】
また、本実施形態においては、カバーパネル６として、その高さ方向の中央部に横方向の中央目印線９を表示すると共に、上下の辺部及び前記中央目印線９の横方向の中央部に夫々中央目印線１０、１１、１２を表示してなるものを用いている。
【００２３】
前記支持パネル２の上下辺部とカバーパネル６の上辺部には、内部不透視用の着色１３を施している。
【００２４】
また、その他、図中、１４はポスター等の掲示用印刷物、１５は店舗のガラス窓である。
【００２５】
次に、上記実施形態の使用方法について説明する。
【００２６】
図６に示す如く、支持パネル２の上辺を貼着部４をもって店舗のガラス窓１５の内面側（店舗内側）に貼着して設置するものである。また、設置する位置は、ガラス窓１５の高さ方向の中段よりも低い位置とするものである。
【００２７】
そして、掲示用印刷物１４を交換するときには、図６に示す如く、カバーパネル６の上辺を摘んで開き、支持パネル２とカバーパネル６の上部側から掲示用印刷物１４の出し入れを行うものである。したがって、掲示用印刷物１４をガラス窓１５の低い位置に設置するときにおいて、印刷物の交換の都度担当者が一々身を屈めて作業する必要がなく、立ったままの姿勢で行うことができると共に、支持パネル２とカバーパネル６間に挟んだ印刷物１４の位置ずれ等の修正も身を屈めて行うことなく、立ったまま行うことができるものである。
【００２８】
また、背面側の支持パネル２も透明であるから、掲示用印刷物１４の印刷面が外面になるようにして、即ち、表示面が店外から見えるようにしてガラス窓１５の内面側に設置する場合において、支持パネル２とカバーパネル６間に挟んだ掲示用印刷物１４の位置を店内側から目視で確認することができ、もって位置ずれを修正するために一々店外に出て確認する必要がなく、更に店外と店内のいずれの顧客にも見えるように二枚の印刷物を背中合わせにして設置する場合にも、これに対応することができるものである。
【００２９】
また、支持パネル２とカバーパネル６の下辺部の接合は、支持パネル２の下辺部に設けた横長のフック片係止孔５に、カバーパネル６の下辺部に形成したフック片８を挿入係止することにより行うものであるから、支持パネル２とカバーパネル６の下辺部は全面的に密着することなく、カバーパネル６を手前に開くときにはフック片８がフック片係止孔５内を少し前後にずれることになり、両者の下辺部の間に僅かな隙間Ｓができることになるものである。そしてこれにより、図８に示す如く、パネル間の隙間に入り込んだゴミや虫などをパネルの下辺側の隙間Ｓから払い落とすことができるようになるものである。
【００３０】
加えて、支持パネル２とカバーパネル６とは、それらが合わさった状態を上辺部と下辺部においてのみで保持する構造であり、側辺部分はフリーな状態であるから、図９に示す如く、横方向において大きなサイズの掲示用印刷物１４の場合には、所要の個数を横に並べて設置することにより、これに対応することができるものである。
【００３１】
そしてまた、カバーパネル６が、その高さ方向の中央部に横方向の中央目印線９を表示すると共に、上下の辺部及び前記中央目印線９の横方向の中央部に夫々中央目印線１０、１１、１２を表示してなるカバーパネルであるようになした場合には、前記の如く（図９）、複数個を横に並べて設置して、一枚の横方向に大きなサイズの掲示用印刷物１４を掲示する際において、紙片の上下の辺の中央に目印１６、１７を表示した取扱説明書１８を併せて利用することにより、ガラス窓１５における取り付け位置の位置出しを容易にすることができるものである。
【００３２】
斯かる点について更に詳細に説明すると、取扱説明書１８の「２」に示す如く、先ず、窓ガラス１５の内面の下部における印刷物掲示用パネル１を設置する正方形の部分に、高さ方向の中央部と横方向の中央部に夫々テープ等で目印をつける。次に、「３」に示す如く、前記窓ガラス１５につけられた上下、左右４箇所の目印の中央部分に取扱説明書１８を置き、それの上下の辺の中央に表示された目印１６、１７における中央の太い線が、前記窓ガラス１５につけられた上下の目印を結ぶ線上に位置するようにしてテープ等で仮止めする。次に、「４」に示す如く、支持パネル２背面の貼着部４の両面粘着テープの剥離紙を剥がす。次に、「５」に示す如く、支持パネル２を窓ガラス１５側にして、カバーパネル６の高さ方向の中央部に設けた横方向の中央目印線９が、前記窓ガラス１５につけられた左右の目印を結ぶ線上に位置するようにすると共に、一方のカバーパネル６の左端が、取扱説明書１８の上下の辺の中央に表示された目印１６、１７における右側の細い線を結ぶ線上に位置するようにする。そして、この状態において、「６」に示す如く、支持パネル２の背面を窓ガラス１５に貼着する。これにより、一方の印刷物掲示用パネル１の設置を完了する。次に、「７」に示す如く、上記「５」と「６」と同様の手順により、もう一方の印刷物掲示用パネル１を設置する。尚、このときには、もう一方の印刷物掲示用パネル１におけるカバーパネル６の右端が、取扱説明書１８の上下の辺の中央に表示された目印１６、１７における左側の細い線を結ぶ線上に位置するようにして行うものである。そして、最後に、「８」に示す如く、窓ガラス１５から取扱説明書１８と目印のテープ等を取り除くものである。
【符号の説明】
【００３３】
１  印刷物掲示用パネル
２  支持パネル
３、３  磁性体
４  貼着部
５  フック片係止孔
６  カバーパネル
７、７  磁石
８  フック片
９  中央目印線
１０、１１、１２  中央目印線
１３  内部不透視の着色
【図１】
0003228040.tif 000003
【図２】
0003228040.tif 000004
【図３】
0003228040.tif 000005
【図４】
0003228040.tif 000006
【図５】
0003228040.tif 000007
【図６】
0003228040.tif 000008
【図７】
0003228040.tif 000009
【図８】
0003228040.tif 000010
【図９】
0003228040.tif 000011
【図１０】
0003228040.tif 000012